(57)【要約】【課題】本発明は、位相調整用同軸コネクタの電気長（位相）を調整するための位相調整用同軸コネクタに関し、所定の偏差範囲内に収めるための位相調整を作業性良く、かつ、容易にすることが課題である。【解決手段】中心導体と、外部導体と、前記中心導体と外部導体との間に配設される絶縁体とを備えるとともに、コネクタ軸心方向に沿って前部コネクタと後部コネクタとに分割され、前記中心導体の嵌合部の重畳範囲長さで位相を調整する位相調整用同軸コネクタであって、前記前部コネクタと後部コネクタとのコネクタ外殻における嵌合部がネジ嵌合で成されるとともに、前記前部コネクタと後部コネクタとにそれぞれ同軸ケーブル側の同軸コネクタと嵌合する回転自在な連結部を有する位相調整用同軸コネクタ１とする。【選択図】    図１
2004296400.tif 000002
【特許請求の範囲】
【請求項１】
中心導体と、外部導体と、前記中心導体と外部導体との間に配設される絶縁体とを備えるとともに、コネクタ軸心方向に沿って前部コネクタと後部コネクタとに分割され、前記中心導体の嵌合部の重畳範囲長さで位相を調整する位相調整用同軸コネクタであって、
前記前部コネクタと後部コネクタとのコネクタ外殻における嵌合部がネジ嵌合で成されるとともに、
前記前部コネクタと後部コネクタとにそれぞれ同軸ケーブル側の同軸コネクタと嵌合する回転自在な連結部を有すること、
を特徴とする位相調整用同軸コネクタ。
【請求項２】
コネクタ外殻における嵌合部には、コネクタ軸心方向に沿って目盛り部が設けられていること、
を特徴とする請求項１に記載の位相調整用同軸コネクタ。
【発明の詳細な説明】
【０００１】
【発明の属する技術分野】
本発明は、位相調整用同軸コネクタの電気長（位相）を調整するための位相調整用同軸コネクタに係り、詳しくは、隣接する同軸ケーブルの電気長（位相）を所定の偏差範囲内に収めるための位相調整用同軸コネクタに関する。
【０００２】
【従来の技術】
従来において、例えば、ビーコンシステムに用いられ、互いに隣接して配設される同軸ケーブルは、当該ビーコンシステムにおけるアンテナの指向性に影響があることから、その電気長が正確に一致している必要がある。
【０００３】
そこで、図５（Ａ），（Ｂ）に示すように、同軸ケーブル１１の一端側に、摺動自在な調節用コネクタ１２を介在させて、手動でスキュー（電気長差異）を調節している。また、摺動可能な中心導体コンタクトと、進退自在な導電性のボディにより、ネジ調節するものも知られている（例えば、特許文献１参照。）。
【０００４】
【特許文献１】
特開平０５−３２６０７６号公報（第２頁〜第４頁、第１図）
【０００５】
【発明が解決しようとする課題】
しかしながら、手動でスキューの調節を行うのでは、微調整することが困難であり、また、ネジ調節するものにおいても、同軸ケーブル１１の一端部を直接的に位相調整同軸コネクタ１２の一部として接続してあるので、位相調整時に、同軸ケーブル１１が捻られてしまうことがある。本発明に係る位相調整用同軸コネクタはこのような課題を解決するために提案されたものである。
【０００６】
【課題を解決するための手段】
上記課題を解決するために、本発明に係る位相調整用同軸コネクタの要旨は、中心導体と、外部導体と、前記中心導体と外部導体との間に配設される絶縁体とを備えるとともに、コネクタ軸心方向に沿って前部コネクタと後部コネクタとに分割され、前記中心導体の嵌合部の重畳範囲長さで位相を調整する位相調整用同軸コネクタであって、前記前部コネクタと後部コネクタとのコネクタ外殻における嵌合部がネジ嵌合で成されるとともに、前記前部コネクタと後部コネクタとにそれぞれ同軸ケーブル側の同軸コネクタと嵌合する回転自在な連結部を有することである。
【０００７】
また、前記コネクタ外殻における嵌合部には、コネクタ軸心方向に沿って目盛り部が設けられていることを含むものである。
【０００８】
本発明に係る位相調整用同軸コネクタによれば、コネクタ外殻のネジ嵌合部において、コネクタ軸心方向に中心導体の嵌合部の重畳範囲長さをネジ部のリード長により伸長・短縮させることで、位相を調整するようにしたので、微調整が可能となり、前記前部コネクタと後部コネクタとにそれぞれ同軸ケーブル側の同軸コネクタと嵌合する回転自在な連結部があることで、例えば、同軸ケーブルを片側の連結部に螺合させた場合、前記ネジ嵌合部を位相調整用同軸コネクタ調整のために回転させても、前記連結部に螺合された同軸ケーブルは捻られることが無く、位相調整作業が容易となる。また、目盛り部があることで、微調整程度が目視で把握できるようになる。
【０００９】
【発明の実施の形態】
次に、本発明に係る位相調整用同軸コネクタ１について、図面を参照して説明する。なお、発明の理解を容易にするため、従来例に対応する部分には従来例と同一の符号を付けて説明する。
【００１０】
前記位相調整用同軸コネクタ１は、図１乃至図２に示すように、同軸ケーブル芯線接続用の中心導体２と、シールド編組網線接続用の外部導体３と、前記中心導体２と外部導体３との間に配設される絶縁体４とを備えるとともに、図２に示すように、コネクタ軸心方向に沿って前部コネクタ１ａと後部コネクタ１ｂとに分割されている。
【００１１】
そして、前記中心導体２は、図３（Ａ），（ｂ），（Ｃ）に示すように、３個の金属製ピン２ａ，２ｂ，２ｃを、この順に首尾連接して構成される。前記ピン２ａは、前記前部コネクタ１ａに絶縁体４とともに一体にされて固定される。このピン２ａの後半部はその内部が中空にされ、後端部には十字状の擦り割りが設けられている。
【００１２】
前記ピン２ｂは、図２（Ｂ）に示すように、前記後部コネクタ１ｂに絶縁体４とともに一体に固定される。また、前記ピン２ｃも、その先端部が前記ピン２ｂの後部空間部に嵌合され前記絶縁体４とともに一体に固定される。なお、ピン２ｃの後端部には、図３（Ｃ）に示すように、後部に十字状の擦り割りを設けた金属製嵌合筒２ｄが嵌合され、半田付けされて固定される。
【００１３】
前記ピン２ａ，２ｂとが、前部コネクタ１ｂと後部コネクタ１ｂとの嵌合接続により、接続されて、当該ピン２ａ，２ｂの重畳範囲長さで電気長（位相）を調整するものである。この重畳範囲長さを前後方向に調節するには、コネクタ１の外殻のねじ部で行うものである。
【００１４】
前記前部コネクタ１ａと後部コネクタ１ｂとのコネクタ外殻３ａ，３ｂにおける嵌合部３ｃがネジ嵌合にされている。前部コネクタ１ａの嵌合部３ｃには、細かいピッチで雄ネジが刻設され、後部コネクタ１ｂの嵌合部３ｃは、回転自在な筒状のリング６があり、そのリング６の内壁面に前記雄ネジに螺合する雌ネジが刻設されている。
【００１５】
前記前部コネクタ１ａの雄ネジ部には、嵌合位置ロック用のロックナット７が備えられている。また、前記前部コネクタ１ａと後部コネクタ１ｂとにそれぞれ、同軸ケーブル側の同軸コネクタまたはプリント基板側の同軸コネクタ（図示せず）と嵌合する回転自在な連結部５（５ａ、５ｂ）を有する。
【００１６】
コネクタ外殻における嵌合部３ｃには、コネクタ軸心方向に沿って目盛り部３ｄが設けられている。これにより、前後方向の調節の具合が、具体的に目視で判るようになる。
【００１７】
このように形成された位相調整用同軸コネクタ１により、互いに隣接して配設された同軸ケーブル１１の位相調整用同軸コネクタを調整するには、例えば、図４に示すように、計測機器Ａ等におけるプリント基板１０に同軸コネクタ１の前端部の連結部５ａを嵌合接続させる。同様に、同軸コネクタ１の後端部の連結部５ｂに、同軸ケーブル１１のコネクタ１１ａを接続する。
【００１８】
こうして、位相調整用同軸コネクタ１を介して、中心導体２によって同軸ケーブル１１の芯線とプリント基板１０の信号回路とが接続され、また、外殻３によって同軸ケーブル１１の編組線（シールド線）とプリント基板１０のグラウンドとが接続され、当該プリント基板１０と同軸ケーブル１１とが電気的に接続される。
【００１９】
そして、互いに隣接して配設された同軸ケーブル１１のスキューが一致しない場合には、リング６を回転させて前後方向に後部コネクタ１ｂを移動させる。中心導体２における嵌合重畳範囲が変化して、電気長が等しくなって、位相が一致するように調整される。そして、調整した後はロックナット７を回して、リング６が回転しないようにする。
【００２０】
これにより、電気長の差異が解消される。また、連結部５は、位相調整用同軸コネクタ１の本体部に対して回転自在であるので、微調整により本体部を軸心廻りに回転させても、連結部５は回転しなくて済むので、この連結部５に連結される同軸ケーブル１１が、位相の調整作業中に捻られるということがない。
【００２１】
【発明の効果】
上記説明したように、本発明に係る位相調整用同軸コネクタは、中心導体と、外部導体と、前記中心導体と外部導体との間に配設される絶縁体とを備えるとともに、コネクタ軸心方向に沿って前部コネクタと後部コネクタとに分割され、前記中心導体の嵌合部の重畳範囲長さで位相を調整する位相調整用同軸コネクタであって、前記前部コネクタと後部コネクタとのコネクタ外殻における嵌合部がネジ嵌合で成されるとともに、前記前部コネクタと後部コネクタとにそれぞれ同軸ケーブル側の同軸コネクタと嵌合する回転自在な連結部を有するので、電気長をネジ調節で微長できるようになるとともに、調節時のネジ回転でケーブルが捩られることがないと言う優れた効果を奏するものである。
コネクタ外殻における嵌合部には、コネクタ軸心方向に沿って目盛り部が設けられているので、微調節を目視で目盛りを読むことで確認される。
【図面の簡単な説明】
【図１】本発明に係る位相調整用同軸コネクタ１の、上半分を断面にして示す半断面図図（Ａ）と、微調節用の目盛り部が設けられていることを示す平面図（Ｂ）である。
【図２】同本発明に係る位相調整用同軸コネクタ１における、前部コネクタ１ａの半断面図（Ａ）と、後部コネクタ１ｂの半断面図（Ｂ）である。
【図３】同本発明に係る位相調整用同軸コネクタ１における、ピン２ａ，２ｂ，２ｃの一部破断して示す正面図（Ａ），（Ｂ），（Ｃ）である。
【図４】同本発明に係る位相調整用同軸コネクタ１の使用状態説明図である。
【図５】従来例に係る位相調整用同軸コネクタ１２のスライド調節を示す説明図（Ａ），（Ｂ）である。
【符号の説明】
１        位相調整用同軸コネクタ、    １ａ        前部コネクタ、
１ｂ      後部コネクタ、              ２          中心導体、
２ａ，２ｂ，２ｃ            ピン、
３        外部導体、                  ３ａ，３ｂ  コネクタ外殻、
３ｃ      嵌合部、                    ３ｄ        目盛り部、
４        絶縁体、
５，５ａ，５ｂ              連結部、  ６          リング、
７        ロックナット、              １０        プリント基板、
１１      同軸ケーブル。
【図１】
2004296400.tif 000003
【図２】
2004296400.tif 000004
【図３】
2004296400.tif 000005
【図４】
2004296400.tif 000006
【図５】
2004296400.tif 000007